(57)【要約】  【課題】  軽量化を図ったショベル・スコップを提供する。  【解決手段】  ショベル１の把柄２、握り連結体３、及び握り４をそれぞれアルミ材にて成形する。そして、把柄２、握り連結体３、及び握り４のそれぞれをアルミ溶接して一体化する。また、アルミ管から成る把柄２の先端部をスエージング加工、引き抜き加工、プレス加工などによってテーパ状に絞って嵌入部２ａを成形し、該把柄２の嵌入部２ａを匙体５の差込部５ａに嵌め入れ、接合部の強度を保持しながらリベット６にて締結する。これによって、アルミ製の把柄２と鋼製の匙体５の溶接不能なもの同士の強固な接合が可能となり、アルミ材を使用したショベルが実現でき、軽量化が図れる。【選択図】  図１
2005320758.tif 000002
【特許請求の範囲】
【請求項１】
熱処理を施した鋼製の匙体と、該匙体を取り付ける棒状の把柄と、該把柄に取り付ける握り連結体及び握りとより構成されるショベル・スコップにおいて、前記把柄、握り連結体、及び握りをそれぞれアルミ材にて形成し、把柄、握り連結体、及び握りをそれぞれアルミ溶接にて接合すると共に、アルミ管から成る把柄の先端側をテーパ状に絞って匙体の差込部に嵌め入れる嵌入部を成形し、該把柄の嵌入部を匙体の差込部に嵌入してリベットなどの締結具にて接合したことを特徴とするショベル・スコップ。
【請求項２】
前記把柄の先端側の嵌入部は、スエージング加工、引き抜き加工、プレス加工のいずれかによってテーパ状に絞り成形したことを特徴とする請求項１記載のショベル・スコップ。
【発明の詳細な説明】
【技術分野】
【０００１】
本発明は、土木作業や園芸作業などに使用するショベル・スコップに関する。
【背景技術】
【０００２】
土木作業などに用いられるショベル・スコップは、匙体が耐摩耗性を要することから鋼を熱処理したものが使用される。一方、匙体を取り付ける把柄は、木製や鋼管製よりなるが、近年は鋼管製のものが多く使用されており、鋼管を把柄として使用するときには、把柄と匙体とを突き合わせてその突き合わせ部分を溶接により接合している。
【特許文献１】実開昭５５−２１３８２号
【発明の開示】
【発明が解決しようとする課題】
【０００３】
しかしながら、従来の木製や鋼管製の把柄を有するショベル・スコップでは、それなりの重量があり、作業性を高めるために軽量化の要望が強くなってきている。
【０００４】
本発明は上記の点に鑑み、軽量化を図ったショベル・スコップを提供することを課題とする。
【課題を解決するための手段】
【０００５】
本発明者は、上記の課題を解決するために、把柄に従来用いられることのなかったアルミ材を使用すれば強度を保ちながら軽量化を図れることに着目すると共に、鋼製の匙部とアルミ材の把柄の溶接が不可能ではあるがアルミ材の成形性の良さを利用すれば鋼製の匙部とアルミ材の把柄の接合が可能であると考えた。即ち、本発明の請求１記載のショベル・スコップにあっては、熱処理を施した鋼製の匙体と、該匙体を取り付ける棒状の把柄と、該把柄に取り付ける握り連結体及び握りとより構成されるショベル・スコップにおいて、前記把柄、握り連結体、及び握りをそれぞれアルミ材にて形成し、把柄、握り連結体、及び握りをそれぞれアルミ溶接にて接合すると共に、アルミ管から成る把柄の先端側をテーパ状に絞って匙体の差込部に嵌め入れる嵌入部を成形し、該把柄の嵌入部を匙体の差込部に嵌入してリベットなどの締結具にて接合したことを特徴としている。
【０００６】
また、請求項２記載のショベル・スコップにあっては、前記把柄の先端側の嵌入部は、スエージング加工、引き抜き加工、プレス加工のいずれかによってテーパ状に絞り成形したことを特徴としている。
【発明の効果】
【０００７】
以上のように本発明に係る請求項１記載のショベル・スコップによれば、把柄、握り連結体、及び握りをそれぞれアルミ材にて形成し、把柄、握り連結体、及び握りをそれぞれアルミ溶接にて接合すると共に、アルミ管から成る把柄の先端側をテーパ状に絞って匙体の差込部に嵌め入れる嵌入部を成形し、該把柄の嵌入部を匙体の差込部に嵌入してリベットなどの締結具にて接合したので、アルミ材使用により従来の木製や鋼管製把柄のショベル・スコップよりも軽量化が図れ、扱いやすいものとすることができる。また、材料が異なるために溶接接合ができないアルミ製把柄と鋼製匙部を強固に接合できてアルミ材の使用のショベル・スコップの実現を可能とする。
【０００８】
また、請求項２記載のショベル・スコップによれば、把柄の先端側の嵌入部は、スエージング加工、引き抜き加工、プレス加工のいずれかによってテーパ状に絞り成形したので、アルミ製把柄を容易に絞り成形でき、見た目にもきれいでかつ強度も維持できる。
【発明を実施するための最良の形態】
【０００９】
本発明に係る請求項１記載のショベル・スコップによれば、把柄、握り連結体、握りを軽量な材質であるアルミ材にて形成し、把柄、握り連結体、握りをアルミ溶接にて一体的に接合する。また、鋼製の匙体とアルミ製の把柄とは、材質が異なるために、従来の鋼製把柄のように匙体と突き合わせて溶接にて接合することが不可能なので、アルミ製の把柄の先端側を漸次縮径してテーパ状に絞り、匙体の差込部へ嵌め入れることができるように成形する。そして、成形した把柄の嵌入部を匙体差込部へと嵌入し、リベットやネジなどの締結具にて締結して接合する。
【００１０】
このように、把柄、握り連結体、握りは、アルミ製で同一材料であるためにアルミ溶接により一体的に接合できる。また、アルミ製の把柄と鋼製の匙体との接合は、異なる材質のために溶接による接合が不可能であるが、アルミ製の把柄の先端部をテーパー状に絞って嵌入部を成形することによって、この嵌入部を匙体差込部に嵌め入れて接合部の強度を保持しながらリベットやネジなどの締結具にて締結すれば強固に接合でき、アルミ製の把柄と鋼製の匙体との接合が実現でき、ショベル・スコップの軽量化を図ることが可能となる。なお、リベットなどの締結では、がたつくことも予想されるが、把柄嵌入部と匙体差込部を精度よく成形し、匙体差込部に把柄嵌入部を圧入して強固に嵌め込めば、把柄の軸回りの回転力に対し匙体差込部と把柄嵌入部の接触面での摩擦力が強く作用してがたつくこともない。また、匙体差込部の両側面から押圧して把柄嵌入部に押し当てて縮径し、その状態で匙体差込部の裏側の隙間部に溶接を施して匙体差込部を縮径したままに保持するようにすれば、更にがたつきもなくなる。
【００１１】
また、請求項２記載のショベル・スコップによれば、前記把柄の先端側の嵌入部は、スエージングマシンによるスエージング加工、または引き抜き加工、プレス加工のいずれかによってテーパ状に絞りながら成形する。このとき、スエージング加工であれば、好ましくは、その先端開口をほぼ閉塞するように成形する。
【００１２】
このように、把柄の匙体への嵌入部を成形する際にスエージング加工、または引き抜き加工、プレス加工のいずれかを用いたので、成形性の良いアルミ管を匙体差込部に密着して嵌め入れる形状に容易に成形することができ、この成形した把柄の嵌入部を匙体差込部に嵌め入れてリベット等により締結固定すると、把柄と匙体の接合部の強度を十分保持できる。また、スエージング加工にて把柄の嵌入部の先端開口を丸めてほぼ閉塞状態とすれば、ショベル使用時に把柄内へ土砂などの異物が侵入しないので好ましい。
【実施例】
【００１３】
以下、本発明の実施例を図面に基づいて説明する。
【００１４】
図中の１は、本発明のショベルであって、把柄２、握り連結体３、握り４、及び匙体５から成る。前記把柄２は、図２に示すようなアルミ材から成るパイプ状のもので、把柄２の先端側を、図３に示すように、先端部に向かうほど漸次縮径してテーパ状に絞ることにより、匙体５の差込部５ａ内へ嵌め入れでき、かつ差込部５ａ内壁面に密着してがたつきなどのない嵌入部２ａを成形している。
【００１５】
把柄２の嵌入部２ａは、スエージングマシンによってスエージング加工をすれば、図３のように、先端部を略半球状に丸めてパイプ先端開口をほぼ閉塞するように加工でき、これによってショベル使用時に把柄２内に土砂などの異物の侵入を阻止することができると共に、見栄えも良い。また、把柄２の先端側の側部には、匙体５締結用のリベット６を挿通させるための透孔７を穿設している。なお、締結用のリベット６に代えて、例えばネジやボルトなどの締結具を使用することもできる。また、把柄２の他端部には、プレス加工にて握り連結体３に嵌め入れて接合するための接合部２ｂを成形している。
【００１６】
前記握り連結体３と握り４も、把柄２と同様にアルミ材から形成してあり、握り連結体３、握り４、及び把柄２をアルミ溶接にて一体的に接合可能としている。なお、匙体５は耐摩耗のために熱処理した鋼を使用しており、把柄２の嵌入部２ａを嵌め入れるための差込部５ａを有し、この差込管５ａにはリベット６を挿通させるための透孔８を穿設している。
【００１７】
上記の把柄２、握り連結体３、握り４、及び匙体５を一体に接合してショベルを形成するときは、図２に示すように、先ず、同じアルミ材から形成した握り連結体３と握り４とをアルミ溶接にて一体的に接合する。次に、この一体的となった握り部分を、同じくアルミ材から形成した把柄２の接続部２ｂに嵌め入れてアルミ溶接にて一体的に接合する。次に、把柄２の先端側の絞り成形した嵌入部２ａを匙体５の差込部５ａへ嵌入した後、リベット６にて締結して接合する。    
【００１８】
このように、把柄２、握り連結体３、及び握り４はアルミ溶接にて一体に接合し、材質の異なる鋼製の匙体５は、把柄２の先端部をテーパ状に絞って嵌入部２ａを形成し、この嵌入部２ａを匙体５の差込部５ａに嵌め入れて接合部の十分な強度を保持しながらリベット６にて一体的に接合したので、アルミ材を使用した軽量なショベルが実現できる。
【００１９】
また、図４及び図５は、把柄２の嵌入部２ａをスエージング加工に代えてプレス加工にて成形した実施例を示すものであって、図４では、把柄２の一端側の側面を一方からプレス加工し、把柄２の先端部にテーパ状の嵌入部２ａを成形したものであり、また、図５では、把柄２の先端部の側面を四方からプレス加工してテーパ状の嵌入部２ａを成形したものである。なお、これらプレス加工以外に、把柄２の先端部を引き抜き加工するようにしてもテーパ状の嵌入部２ａを成形することができる。このプレス加工や引き抜き加工はスエージング加工よりも低コストにて成形できる利点がある。
【００２０】
なお、把柄嵌入部２ａと匙体差込部５ａの接合をリベット６にて接合すると、がたつきが生じることも予想されるが、把柄嵌入部２ａと匙体差込部５ａを精度よく成形し、匙体差込部５ａに把柄嵌入部２ａを圧入して強固に嵌め込めば、把柄２の軸回りの回転力に対し匙体差込部５ａと把柄嵌入部２ａの接触面での摩擦力が強く作用してがたつきを阻止することもできる。また、匙体差込部５ａの両側面から圧力をかけて把柄嵌入部２ａに強く押し当てて縮径しながら、匙体差込部５ａの裏側の隙間部に溶接を施して匙体差込部５ａを縮径したままに保持するようにすれば、更にがたつきもなくなる。また、スエージング加工にて把柄嵌入部２ａを形成するときに、把柄嵌入部２ａの表面をなめらかに成形せずに粗く成形して若干の凹凸部（すじ）を形成しておけば、匙体差込部５ａへの嵌入時に強く圧入するとその凸部がつぶれて匙体差込部５ａに強固に固定され、がたつきがなくなる。
【図面の簡単な説明】
【００２１】
【図１】本発明に係るショベルの正面図である。
【図２】本発明に係るショベルの組み立て手順を説明する図である。
【図３】把柄の嵌入部の、（ａ）縦断面図、（ｂ）Ａ−Ａ端面図、（ｃ）Ｂ−Ｂ端面図である。
【図４】別の実施例での把柄の嵌入部の、（ａ）縦断面図、（ｂ）Ｃ−Ｃ端面図、（ｃ）Ｄ−Ｄ端面図である。
【図５】更に別の実施例での把柄の嵌入部の、（ａ）縦断面図、（ｂ）Ｅ−Ｅ端面図、（ｃ）Ｆ−Ｆ端面図である。
【符号の説明】
【００２２】
１…ショベル                  ２…把柄
２ａ…嵌入部                  ３…握り連結体
４…握り                      ５…匙体
５ａ…差込部                  ６…リベット（締結具）
【図１】
2005320758.tif 000003
【図２】
2005320758.tif 000004
【図３】
2005320758.tif 000005
【図４】
2005320758.tif 000006
【図５】
2005320758.tif 000007